(57)【要約】【課題】この発明は、電源オン時において、画像内容による画像の濃さを考慮した履歴に基づいて、定着温度設定を行なうことができる画像形成装置を提供することを目的とする。【解決手段】定着装置を備えた画像形成装置において、ＪＯＢが行なわれる毎に、原稿１枚当たりの黒ドット数の平均値を算出する手段、ならびに電源オン時には、過去に算出された原稿１枚当たりの黒ドット数の平均値のうち、最新の原稿１枚当たりの黒ドット数の平均値または最新側からの過去複数回分の原稿１枚当たりの黒ドット数の平均値の平均に基づいて、定着装置の設定温度を決定する手段を備えている。【選択図】図１
2008096659.tif 000002
【特許請求の範囲】
【請求項１】
定着装置を備えた画像形成装置において、
ＪＯＢが行なわれる毎に、原稿１枚当たりの黒ドット数の平均値を算出する手段、ならびに
電源オン時には、過去に算出された原稿１枚当たりの黒ドット数の平均値のうち、最新の原稿１枚当たりの黒ドット数の平均値または最新側からの過去複数回分の原稿１枚当たりの黒ドット数の平均値の平均に基づいて、定着装置の設定温度を決定する手段、
を備えていることを特徴とする画像形成装置。
【請求項２】
定着装置を備えた画像形成装置において、
ＪＯＢが行なわれる際には、当該ＪＯＢの画像形成処理前に、原稿１枚当たりの黒ドット数の平均値および原稿１枚当たりの黒ドット数の最大値を算出する手段、
原稿１枚当たりの黒ドット数の最大値に基づいて、当該ＪＯＢの画像形成処理前に、定着装置の設定温度を決定し、定着装置の定着温度が決定した設定温度に到達してから、当該ＪＯＢの画像形成処理を行なう手段、ならびに
電源オン時には、過去に算出された原稿１枚当たりの黒ドット数の平均値のうち、最新の原稿１枚当たりの黒ドット数の平均値または最新側からの過去複数回分の原稿１枚当たりの黒ドット数の平均値の平均に基づいて、定着装置の設定温度を決定する手段、
を備えていることを特徴とする画像形成装置。
【発明の詳細な説明】
【技術分野】
【０００１】
この発明は、複写機、プリンタ等の定着装置を備えた画像形成装置に関する。
【背景技術】
【０００２】
定着装置を備えた複写機として、電源オン時に過去１週間分の履歴データから１ＪＯＢ当たりのコピー枚数を予測し、予測した１ＪＯＢ当たりの平均コピー枚数に基づいて定着温度設定を行なうことにより、ウォーミングアップ完了までの待ち時間を短くしたものが既に開発されている（特開平１０−１４９０５１号公報参照）。
【０００３】
上記従来技術では、１ＪＯＢ当たりのコピー枚数の履歴に基づいて定着温度設定を行なっているが、画像内容による画像の濃さなどは考慮されていない。
【特許文献１】特開平１０−１４９０５１号公報
【発明の開示】
【発明が解決しようとする課題】
【０００４】
この発明は、電源オン時において、画像内容による画像の濃さを考慮した履歴に基づいて、定着温度設定を行なうことができる画像形成装置を提供することを目的とする。
【課題を解決するための手段】
【０００５】
請求項１に記載の発明は、定着装置を備えた画像形成装置において、ＪＯＢが行なわれる毎に、原稿１枚当たりの黒ドット数の平均値を算出する手段、ならびに電源オン時には、過去に算出された原稿１枚当たりの黒ドット数の平均値のうち、最新の原稿１枚当たりの黒ドット数の平均値または最新側からの過去複数回分の原稿１枚当たりの黒ドット数の平均値の平均に基づいて、定着装置の設定温度を決定する手段を備えていることを特徴とする。
【０００６】
請求項２に記載の発明は、定着装置を備えた画像形成装置において、ＪＯＢが行なわれる際には、当該ＪＯＢの画像形成処理前に、原稿１枚当たりの黒ドット数の平均値および原稿１枚当たりの黒ドット数の最大値を算出する手段、原稿１枚当たりの黒ドット数の最大値に基づいて、当該ＪＯＢの画像形成処理前に、定着装置の設定温度を決定し、定着装置の定着温度が決定した設定温度に到達してから、当該ＪＯＢの画像形成処理を行なう手段、ならびに電源オン時には、過去に算出された原稿１枚当たりの黒ドット数の平均値のうち、最新の原稿１枚当たりの黒ドット数の平均値または最新側からの過去複数回分の原稿１枚当たりの黒ドット数の平均値の平均に基づいて、定着装置の設定温度を決定する手段を備えていることを特徴とする。
【発明の効果】
【０００７】
この発明によれば、電源オン時において、画像内容による画像の濃さを考慮した履歴に基づいて、定着温度設定を行なうことができるようになる。
【発明を実施するための最良の形態】
【０００８】
以下、図面を参照して、この発明を複写機に適用した場合の実施例について説明する。
【実施例１】
【０００９】
図１は、複写機の電気的構成を示している。
【００１０】
複写機は、ＣＰＵ１０によって制御される。ＣＰＵ１０は、そのプログラム等を記憶するＲＯＭ１１、必要なデータを記憶するＲＡＭ１２および必要なデータを記憶する不揮発性メモリ１３を備えている。
【００１１】
複写機は、原稿画像を読み取る画像読取部１、画像読取部１で読み取られた画像を記録紙に印刷する画像形成部２ならびに各種操作キーおよびタッチパネル付表示器を有する操作パネル４を備えている。画像形成部２は、定着装置２ａを含んでいる。定着装置２ａは、１対の定着ローラ（図示略）を備えており、その一方の定着ローラ内部にはヒータが内蔵されている。また、複写機は、上記一方の定着ローラの表面温度を検出するための定着温度センサ３を備えている。画像読取部１、画像形成部２、定着温度センサ３および操作パネル４は、ＣＰＵ１０に接続されている。
【００１２】
図２は、ＣＰＵ１０による制御処理手順を示している。
【００１３】
ここでは、原稿サイズは全てＡ４であるとする。電源がオンされると、定着温度設定処理を行なう（ステップＳ１）。定着温度設定処理では、直近の履歴データとして保持されている原稿１枚当たりの黒ドット数の平均値ΔＢに基づいて、定着装置２ａの設定温度Ｔａｄｊを決定する。具体的には、次式（１）に基づいて、定着装置２ａの設定温度Ｔａｄｊを決定する。
【００１４】
ｉｆ  ０≦ΔＢ≦ｎ  ｔｈｅｎ  Ｔａｄｊ＝Ｔ１
ｉｆ  ΔＢ＞ｎ      ｔｈｅｎ  Ｔａｄｊ＝Ｔ２      …（１）
【００１５】
ただし、ｎは、予め定められた閾値である。また、Ｔ２＜Ｔ１である。
【００１６】
このようにして、設定温度Ｔａｄｊが決定されると、ＣＰＵ１０は、定着装置２ａのヒータに単位時間当たりの通電時間の割合（デューティ比）を１００％にして給電させる。これにより、ウォームアップが開始される。
【００１７】
そして、定着温度センサ３の検出温度が設定温度Ｔａｄｊに達すると（ステップＳ２でＹＥＳ）、ウォームアップが完了したと判断し、待機状態となる（ステップＳ３）。待機状態においては、ＣＰＵ１０は、定着温度センサ３の検出温度が設定温度Ｔａｄｊに維持されるように、上記デューティ比を制御する。
【００１８】
待機状態において、コピーＪＯＢ実行のための入力操作が行なわれると（ステップＳ４）、原稿画像読取処理を行なう（ステップＳ５）。
【００１９】
原稿画像の読み込みが開始されると、原稿枚数と各原稿毎の黒ドット数とを算出する（ステップＳ６）。そして、全ての原稿の画像が読み取られた後、原稿１枚当たりの黒ドット数の平均値ΔＢを算出して直近の履歴データとして不揮発性メモリ１３に保持するとともに、原稿１枚当たりの黒ドット数の最大値Ｂmax を算出してＲＡＭ１２に保持する（ステップＳ７）。
【００２０】
次に、ステップＳ７で算出された原稿１枚当たりの黒ドット数の最大値Ｂmax がｎ以下であるか否かを判別する（ステップＳ８）。最大値Ｂmax がｎ以下である場合には、画像形成処理（プリント処理）を行なう（ステップＳ１１）。画像形成処理が終了すると、ステップＳ３の待機状態に移行する。
【００２１】
上記ステップＳ８において、最大値Ｂmax がｎより大きいと判別した場合には、たとえ、原稿１枚当たりの黒ドット数の平均値ΔＢがｎ以下であったとしても、定着装置２ａでの熱消費量が多くなると予想されるので、定着装置２ａの設定温度ＴａｄｊをＴ２に設定する（ステップＳ９）。この場合には、ＣＰＵ１０は、定着温度センサ３の検出温度が設定温度Ｔａｄｊ（＝Ｔ２）になるように温度制御を行なう。そして、定着温度センサ３の検出温度が設定温度Ｔａｄｊ（＝Ｔ２）に達すると（ステップＳ１０）、画像形成処理（プリント処理）を行なう（ステップＳ１１）。画像形成処理が終了すると、ステップＳ３の待機状態に移行する。
【００２２】
上記実施例では、電源オン時には、最も直近に行なわれたＪＯＢでの原稿１枚当たりの黒ドット数の平均値ΔＢに基づいて、定着装置２ａの設定温度Ｔａｄｊが決定されている。つまり、最も直近に行なわれたＪＯＢでの原稿１枚当たりの黒ドット数の平均値ΔＢがｎ以下である場合には、定着装置２ａの設定温度ＴａｄｊをＴ１に決定し、平均値ΔＢがｎより大きい場合には、定着装置２ａの設定温度ＴａｄｊをＴ１より高いＴ２に決定している。このため、定着装置２ａの設定温度Ｔａｄｊを常に最大値（Ｔ２）に設定する場合に比べて、ウォームアップ完了までの時間の短縮化が図れるとともに電力消費の低減化が図れる。
【００２３】
上記実施例では、定着装置２ａの設定温度Ｔａｄｊは２段階の温度Ｔ１，Ｔ２間で切り替えられているが、３段階以上に温度間で切り替えるようにしてもよい。
【００２４】
上記実施例では、電源オン時には、最も直近に行なわれたＪＯＢでの原稿１枚当たりの黒ドット数の平均値ΔＢに基づいて、定着装置２ａの設定温度Ｔａｄｊを決定しているが、最新側から過去複数回分のＪＯＢにおける原稿１枚当たりの黒ドット数の平均値ΔＢを保持しておき、これらの平均値ΔＢの平均値に基づいて定着装置２ａの設定温度Ｔａｄｊを決定するようにしてもよい。
【図面の簡単な説明】
【００２５】
【図１】複写機の電気的構成を示すブロック図である。
【図２】ＣＰＵ１０による制御処理手順を示すフローチャートである。
【符号の説明】
【００２６】
１  画像読取部
２  画像形成部
２ａ  定着装置
３  定着温度センサ
４  操作パネル
１０  ＣＰＵ
１１  ＲＯＭ
１２  ＲＡＭ
１３  不揮発性メモリ
【図１】
2008096659.tif 000003
【図２】
2008096659.tif 000004